(57)【要約】【課題】部品点数を増加することなく、スムーズに開閉可能とされるとともに、清掃し易い収納ケース及びそのような収納ケース付き冷却貯蔵庫を提供する。【解決手段】ショーケース１１は、ケース本体２０と一対のレール部３０と複数のスライド扉４０とを備え、レール部３１Ａ，３２Ｂは、底面３２Ａ，３２Ｂと、開口部２１の径方向内側に位置する内側内側面３４Ａ，３３Ｂと、開口部２１の径方向外側に位置する外側内側面３３Ａ，３４Ｂとを有し、複数のスライド扉４０は、第１スライド扉４１と、第１スライド扉４１を内包する形で配された第２スライド扉４２とを少なくとも含み、第１スライド扉４１が一対のレール部３０の内側内側面３４Ａ，３３Ｂによって位置決めされるとともに、第２スライド扉４２が一対のレール部３０の外側内側面３３Ａ，３４Ｂによって位置決めされることで、第１スライド扉４１と第２スライド扉４２とが互いの間に間隙４５を有して重なる構成とされている。【選択図】図５
2017133770.tif 000002
【特許請求の範囲】
【請求項１】
上側に開口する箱状をなすケース本体と、
前記ケース本体の開口部両側に位置する一対の開口縁部に沿ってそれぞれ延設されるとともに、上側に開口する凹溝状をなす一対のレール部と、
引き違い形式で前記ケース本体の前記開口部を開閉可能とされ、両端部が下方に向けて延出して前記一対の前記レール部にそれぞれ嵌合する形で装着された複数のスライド扉と、を備えた収納ケースであって、
前記レール部は、底面と、前記底面から立ち上がる一対の内側面のうち前記開口部の径方向内側に位置する内側内側面と、前記一対の内側面のうち前記開口部の径方向外側に位置する外側内側面と、を有し、
前記複数のスライド扉は、
第１スライド扉と、前記第１スライド扉を内包する形で、前記第１スライド扉に対して前記ケース本体とは反対側に配された第２スライド扉と、を少なくとも含み、
前記第１スライド扉が前記一対の前記レール部における前記内側内側面によって前記開口部の径方向について位置決めされるとともに、前記第２スライド扉が前記一対の前記レール部における前記外側内側面によって前記開口部の径方向について位置決めされることで、前記第１スライド扉と前記第２スライド扉とが、互いの間に間隙を有して重なる構成とされていることを特徴とする収納ケース。
【請求項２】
前記一対の前記レール部は、前記一対の開口縁部のうち相対的に鉛直方向上側に配された上側開口縁部に沿って延設された上側レール部と、相対的に鉛直方向下側に配された下側開口縁部に沿って延設された下側レール部と、で構成され、
前記上側レール部は、前記底面が前記上側開口縁部において前記開口部の径方向内側に向かうにつれて下降する傾斜面とされ、
前記下側レール部は、前記底面が前記下側開口縁部において前記開口部の径方向外側に向かうにつれて下降する傾斜面とされていることを特徴とする請求項１に記載の収納ケース。
【請求項３】
請求項２に記載の前記収納ケースと、
前面に開口する箱状をなし、内側に貯蔵室を有する冷却貯蔵庫と、を備えて構成され、
前記収納ケースが、前記下側開口縁部を前側にした姿勢で前記冷却貯蔵庫における上面に載置されていることを特徴とする収納ケース付き冷却貯蔵庫。
【発明の詳細な説明】
【技術分野】
【０００１】
本明細書によって開示される技術は、複数のスライド扉を備えた収納ケース及び収納ケース付き冷却貯蔵庫に関する。
【背景技術】
【０００２】
従来、複数のスライド扉を備えた収納ケースとして、下記特許文献１に記載のものが知られている。特許文献１に開示の構成では、前後にレール部材が長手方向の全長に亘って配設され、両レール部材間には、ガラスや樹脂等の透明な材料で断面略コ字状に形成された複数のスライド扉の夫々が、着脱可能でかつ長手方向にスライド可能に配設されている。
【先行技術文献】
【特許文献】
【０００３】
【特許文献１】特開２００２−１６８５４９号公報
【発明の概要】
【発明が解決しようとする課題】
【０００４】
ところで、スライド扉をスライドして収納ケースを開閉する際に、スライド扉同士が接触すると、スライド扉をスムーズに開けることができなくなる虞がある。そのような問題を解決する対策として、各スライド扉の間にスライダのような別の部品を設定して、スライド扉同士の接触を防ぐことが考えられる。
【０００５】
しかしながら、そのような対策では、部品点数が増加するとともに、レール部材の内側に別部品を配設することによりレール部材の内側を清掃し難くなる、という問題がある。
【０００６】
本明細書によって開示される技術は上記のような事情に基づいて完成されたものであって、部品点数を増加することなく、スムーズに開閉可能とされるとともに、清掃し易い収納ケース及びそのような収納ケース付き冷却貯蔵庫を提供することを目的とする。
【課題を解決するための手段】
【０００７】
上記課題を解決するために、本明細書によって開示される収納ケースは、上側に開口する箱状をなすケース本体と、前記ケース本体の開口部両側に位置する一対の開口縁部に沿ってそれぞれ延設されるとともに、上側に開口する凹溝状をなす一対のレール部と、引き違い形式で前記ケース本体の前記開口部を開閉可能とされ、両端部が下方に向けて延出して前記一対の前記レール部にそれぞれ嵌合する形で装着された複数のスライド扉と、を備えた収納ケースであって、前記レール部は、底面と、前記底面から立ち上がる一対の内側面のうち前記開口部の径方向内側に位置する内側内側面と、前記一対の内側面のうち前記開口部の径方向外側に位置する外側内側面と、を有し、前記複数のスライド扉は、第１スライド扉と、前記第１スライド扉を内包する形で、前記第１スライド扉に対して前記ケース本体とは反対側に配された第２スライド扉と、を少なくとも含み、前記第１スライド扉が前記一対の前記レール部における前記内側内側面によって前記開口部の径方向について位置決めされるとともに、前記第２スライド扉が前記一対の前記レール部における前記外側内側面によって前記開口部の径方向について位置決めされることで、前記第１スライド扉と前記第２スライド扉とが、互いの間に間隙を有して重なる構成とされていることに特徴を有する。
【０００８】
本明細書によって開示される技術によれば、第１スライド扉と第２スライド扉の間に互いの接触を規制するスライダ等の部品を設けない場合であっても、第１スライド扉と第２スライド扉が一対のレール部によってそれぞれ位置決めされることで、互いに接触しないようにしてそれぞれスライドさせることができる。この結果、部品点数を増加することなく、第１スライド扉と第２スライド扉をスムーズに開閉することができる。さらに、そのような部品を廃止することで、上方に開口することに起因して、異物が溜まりやすいレール部の内側を、凹凸を有しない単純な形状とすることができ、レール部の清掃がし易い収納ケースを実現することができる。
【０００９】
上記構成において、前記一対の前記レール部は、前記一対の開口縁部のうち相対的に鉛直方向上側に配された上側開口縁部に沿って延設された上側レール部と、相対的に鉛直方向下側に配された下側開口縁部に沿って延設された下側レール部と、で構成され、前記上側レール部は、前記底面が前記上側開口縁部において前記開口部の径方向内側に向かうにつれて下降する傾斜面とされ、前記下側レール部は、前記底面が前記下側開口縁部において前記開口部の径方向外側に向かうにつれて下降する傾斜面とされていてもよい。このような構成によれば、上側レール部と下側レール部の高低差並びにレール部の底面の傾斜形状に伴って、各スライド扉の自重により、開口部の径方向における一の方向（例えば、スライド扉を操作する者側）に各スライド扉を寄せることができ、各スライド扉をスライドさせる際に、各スライド扉のガタつきを抑制することができる。
【００１０】
また、上記課題を解決するために、本明細書によって開示される収納ケース付き冷却貯蔵庫は、前記収納ケースと、前面に開口する箱状をなし、内側に貯蔵室を有する冷却貯蔵庫と、を備えて構成され、前記収納ケースが、前記下側開口縁部を前側にした姿勢で前記冷却貯蔵庫における上面に載置されていることに特徴を有する。
【００１１】
本明細書によって開示される技術によれば、収納ケースの下側開口縁部が手前側に位置するから、冷却貯蔵庫の上面を作業スペースとして用いる際に、作業者が収納物を視認し易く、また、収納物を収納ケースから取り出し易い。
【発明の効果】
【００１２】
本明細書によって開示される技術によれば、部品点数を増加することなく、スムーズに開閉可能とされるとともに、清掃し易い収納ケース及びそのような収納ケース付き冷却貯蔵庫を提供することができる。
【図面の簡単な説明】
【００１３】
【図１】本発明の一実施形態に係るショーケース付冷蔵庫の側面図
【図２】ショーケースの斜視図
【図３】ショーケースの上面図
【図４】ショーケースの斜視断面図（図３のＩＶ−ＩＶ線断面図）
【図５】レール部とスライド扉を示す側断面図
【発明を実施するための形態】
【００１４】
本発明の一実施形態を図１から図５によって説明する。本実施形態では、ショーケース（収納ケース）１１と冷蔵庫（冷却貯蔵庫）１５と、を備えて構成されたショーケース付き冷蔵庫（収納ケース付き冷却貯蔵庫）１０について例示する。以下の説明では、図１における左側を前側、右側を後側、上側を鉛直方向上側、下側を鉛直方向下側とし、図３における左側を左側、右側を右側として説明する。
【００１５】
冷蔵庫１５は、図１に示すように、前面に開口する箱状をなし、内側に貯蔵室を有するいわゆる横型冷蔵庫である。そして、冷蔵庫１５における上面１５ａに、ショーケース１１が後述する下側開口縁部２１Ｂを前側にした姿勢で載置されている。冷蔵庫１５は、その上面１５ａが天板１６で構成されており、調理台として使用可能となっている。また、冷蔵庫１５の開口は、揺動式の断熱扉１７によって開閉されるようになっている。
【００１６】
冷蔵庫１５には、機械室（不図示）が画成され、この機械室内に冷蔵庫１５の貯蔵室及びショーケース１１の収納室２０ｂを冷却する冷凍装置が収納されている。この冷凍装置は、閉ループ状の冷媒循環経路を備えており、冷媒循環経路を構成する冷却パイプ１８がショーケース１１の内部に配設されることで、ショーケース１１の収納室２０ｂを冷却可能とされている（図４参照）。なお、ショーケース１１の前面には、冷却パイプ１８による収納室２０ｂの冷却を停止するための停止手段として電源スイッチ１２が配設されている。
【００１７】
ショーケース１１は、図２に示すように、全体としては左右方向に長いブロック状をなし、下面が水平方向に沿って延在する面とされる一方、上面が水平方向に対して傾斜する面とされている。このようなショーケース１１は、寿司ネタ等の収納物を収納するネタケースとして好適に用いることが可能となっている。
【００１８】
ショーケース１１は、図３及び図４に示すように、上側に開口する箱状のケース本体２０と、ケース本体２０の開口部２１両側に位置する一対の開口縁部２１Ａ，２１Ｂに沿って延設された一対のレール部３０と、引き違い形式でケース本体２０の開口部２１を開閉可能とされた複数のスライド扉４０と、を備えている。本実施形態では、第１スライド扉４１及び第２スライド扉４２を含む３枚のスライド扉４０を備えるショーケース１１について例示する。以下の説明では、第１スライド扉と第２スライド扉をそれぞれ区別する際には、それぞれ第１スライド扉４１と第２スライド扉４２と呼び、これらを区別せず総称する際には単にスライド扉４０と呼ぶ。
【００１９】
ケース本体２０は、図４に示すように、外殻をなす外箱２３内に内箱２４を嵌めて、その間に発泡樹脂等の断熱材（不図示）が充填された構造である。つまり、ケース本体２０は、内箱２４の内部が、収納物を収納する収納室２０ｂとされている。内箱２４の底面は、後述するケース本体２０の上面２０ａと同様の傾斜面とされ、収納室２０ｂの奥方においても収納物が取り出し易い構成となっている。そして、内箱２４の外面には、冷却パイプ１８が接触する状態で蛇行状に配設され、冷凍装置から供給される冷媒の循環により内箱２４の全体が冷却される構成とされている。
【００２０】
ケース本体２０は、図４に示すように、上面２０ａに開口した開口部２１から収納物を出し入れ可能な構成とされる。このような構成により、ケース本体２０は、開口部２１を開放しても、例えば、開口がケース本体の前面に形成されるような構成に比べて、収納室２０ｂ内で冷却された重い冷気が外部に流出し難く、収納物の劣化を抑制して鮮度を維持することが可能となっている。
【００２１】
ケース本体２０は、図４及び図５に示すように、開口部２１の開口端面（上面２０ａのうち少なくとも後壁部２６及び前壁部２７の上端面２６ａ，２７ａ）が、水平方向に対して傾斜する傾斜面、詳細には、前方に向かうにつれて下降する傾斜面内に延在している。また、上端面２６ａ，２７ａの角度は、５°〜４５°程度、好ましくは、１０°〜２０°程度の緩やかな角度に設定されている。このような構成により、後述する態様で一対のレール部３０に嵌合したスライド扉４０が、不測に外れる事態が抑制されている。なお、上面２０ａは、左右方向については傾斜せず、つまり、一定の高さとされており、スライド扉４０が自重により左右方向にスライドすることがない。
【００２２】
ケース本体２０は、図３及び図４に示すように、開口部２１の前後方向両側に位置する一対の開口縁部２１Ａ，２１Ｂのうち、相対的に鉛直方向上側に位置する上側開口縁部２１Ａと、鉛直方向下側に位置する下側開口縁部２１Ｂと、を有している。具体的には、開口部２１は、左右方向に長い長方形状をなすとともに、上方かつやや前方に向けて開口しており、その後辺部側に上側開口縁部２１Ａが形成されるとともに、その前辺部側に下側開口縁部２１Ｂが形成されている。さらに言い換えれば、ケース本体２０は、互いに対向状をなす後壁部２６と前壁部２７において、後壁部２６の上端面２６ａが前壁部２７の上端面２７ａより鉛直方向上側に位置しており、この後壁部２６の上端面２６ａが開口部２１の上側開口縁部２１Ａを構成するとともに、前壁部２７の上端面２７ａが下側開口縁部２１Ｂを構成している。後壁部２６の上端面２６ａは、図５に示すように、それぞれ内箱２４と外箱２３とが互いに向けて折り返された折返部２３ａ，２４ａで構成されている。そして、外箱２３の折返部２３ａと内箱２４の折返部２４ａとの間には、後述する上側レール部３１Ａが装着されている。また、前壁部２７の上端面２７ａは、後壁部２６の上端面２６ａと同様に構成され、外箱２３の折返部２３ａと内箱２４の折返部２４ａとの間に後述する下側レール部３１Ｂが装着されている。
【００２３】
一対のレール部３０は、上側開口縁部２１Ａに沿って延設された上側レール部３１Ａと、下側開口縁部２１Ｂに沿って延設された下側レール部３１Ｂと、で構成されている。上側レール部３１Ａと下側レール部３１Ｂは、互いに並行状をなし、ケース本体２０の長手方向に沿って延設されている。このような構成により、上側レール部３１Ａ及び下側レール部３１Ｂは、その間においてスライド扉４０を長手方向に沿って案内可能な構成となっている。
【００２４】
上側レール部３１Ａは、図４及び図５に示すように、上側に開口する凹溝状をなし、底面３２Ａと、底面３２Ａから立ち上がる一対の内側面のうち開口部２１の径方向内側に位置する内側内側面３４Ａと、一対の内側面のうち開口部２１の径方向外側に位置する外側内側面３３Ａと、を有している。具体的には、上側レール部３１Ａは、全体としては長手状の板状部材が幅方向について断面視Ｍ字状に屈曲された形をなし、幅方向における中央部に底面３２Ａと一対の内側面３３Ａ，３４Ａが形成されている。そして、底面３２Ａが後壁部２６の上端面２６ａに沿って延在するとともに、一対の内側面３３Ａ，３４Ａが底面３２Ａの幅方向両端から略直角に立ち上がる形とされている。さらに、一対の内側面３３Ａ、３４Ａの上端部が、先端を丸めた鋭角状の丸角部をなしている。上側レール部３１Ａは、取付部３６Ａを介して上側開口縁部２１Ａに取り付けられている。取付部３６Ａは、その後側が外箱２３の折返部２３ａに下側から係止されるとともに、その前側が内箱２４の折返部２４ａに下側から係止される態様となっている。
【００２５】
上側レール部３１Ａは、図５に示すように、その底面３２Ａが前方に向かうにつれて、つまり上側開口縁部２１Ａにおいて開口部２１の径方向内側に向かうにつれて下降する傾斜面とされている（以下、底面３２Ａを上側傾斜面３２Ａとも呼ぶ）。上側傾斜面３２Ａの傾斜角度は、それぞれ後壁部２６の上端面２６ａ及び前壁部２７の上端面２７ａの傾斜角度と同等とされている。上側レール部３１Ａは、一対の内側面３３Ａ，３４Ａのうち外側内側面３３Ａが上側傾斜面３２Ａの上方に位置するとともに、内側内側面３４Ａが上側傾斜面３２Ａの下方に位置している。
【００２６】
下側レール部３１Ｂは、上側に開口する凹溝状をなし、底面３２Ｂと、底面３２Ｂから立ち上がる一対の内側面のうち開口部２１の径方向内側に位置する内側内側面３３Ｂと、一対の内側面のうち開口部２１の径方向外側に位置する外側内側面３４Ｂと、を有している。また、下側レール部３１Ｂは、その底面３２Ｂが前方に向かうにつれて、つまり下側開口縁部２１Ｂにおいて開口部２１の径方向外側に向かうにつれて下降する傾斜面とされている（以下、底面３２Ｂを下側傾斜面３２Ｂとも呼ぶ）。下側傾斜面３２Ｂは、上側傾斜面３２Ａと同等の傾斜角度とされ、これと同一の傾斜面内に延在している。下側レール部３１Ｂは、一対の内側面３３Ｂ，３４Ｂのうち内側内側面３３Ｂが下側傾斜面３２Ｂの上方に位置するとともに、外側内側面３４Ｂが下方に位置している。なお、下側レール部３１Ｂのその他の構成については、上側レール部３１Ａと同様であり、対応する各部の構成については、上側レール部３１Ａの構成に添え字Ａを付すとともに、下側レール部３１Ｂの構成に添え字Ｂを付して示し、その説明を省略する。
【００２７】
スライド扉４０は、透明な樹脂プレートとされ、開口部２１を閉塞した状態で、収納室２０ｂ内を視認可能となっている。スライド扉４０は、図４に示すように、上側開口縁部２１Ａ側の端部４０Ａが下方に向けて延出して上側レール部３１Ａに嵌合するとともに、下側開口縁部２１Ｂ側の端部４０Ｂが下方に向けて延出して下側レール部３１Ｂに嵌合する形とされている。具体的には、スライド扉４０は、開口部２１を閉塞する平板状の本体部４０Ｃと、本体部４０Ｃの上端（後端）から下方に向けて延出した上端部４０Ａと、本体部４０Ｃの下端（前端）から下方に向けて延出した下端部４０Ｂと、を備え、コの字状に構成されている。
【００２８】
複数のスライド扉４０は、図３に示すように、それぞれ開口部２１を長手方向に三等分した程度の大きさとされ、開口部２１を閉塞した状態で、長手方向両側に第１スライド扉４１，４１が配されるとともに中央に第２スライド扉４２が配される構成となっている。そして、左側及び右側に配された第１スライド扉４１は、それぞれ中央部側に向けてスライド可能とされ、それぞれ左端部及び右端部に取手４０Ｄが凹設されている。中央に配された第２スライド扉４２は、左側と右側のいずれに向けてもスライド可能とされ、左端部及び右端部の双方に取手４０Ｄが凹設されている。
【００２９】
複数のスライド扉４０は、図３及び図４に示すように、第１スライド扉４１，４１と、第１スライド扉４１，４１を内包する形で、第１スライド扉４１，４１に対してケース本体２０とは反対側に配された第２スライド扉４２と、を含んでいる。つまり、複数のスライド扉４０は、小型の第１スライド扉４１がケース本体２０側に配されるとともに、これより大型の第２スライド扉４２がケース本体２０とは反対側に配されることで、第１スライド扉４１と第２スライド扉４２が互いに干渉することなくスライド可能な構成とされている。以下の説明では、第１スライド扉４１と第２スライド扉４２の各部を区別するために、第１スライド扉４１の上側開口縁部２１Ａ側の端部４０Ａを第１上端部４１Ａと呼び、第１スライド扉４１の下側開口縁部２１Ｂ側の端部４０Ｂを第１下端部４１Ｂと呼ぶ。また、第２スライド扉４２の上側開口縁部２１Ａ側の端部４０Ａを第２上端部４２Ａと呼び、第２スライド扉４２の下側開口縁部２１Ｂ側の端部４０Ｂを第２下端部４２Ｂと呼ぶ。
【００３０】
複数のスライド扉４０は、図４及び図５に示すように、一括して一対のレール部３０に装着されている。詳細には、第１スライド扉４１及び第２スライド扉４２は、第２上端部４２Ａと第１上端部４１Ａとが上下に重なる形で上側レール部３１Ａに収容されるとともに、第１下端部４１Ｂと第２下端部４２Ｂとが上下に重なる形で下側レール部３１Ｂに収容される態様で、一対のレール部３０に対して取り付けられている。また、複数のスライド扉４０は、これらを上方に持ち上げて、上端部４０Ａ及び下端部４０Ｂを上側レール部３１Ａ及び下側レール部３１Ｂから上方に引き抜くだけで、取り外し可能となっている。つまり、複数のスライド扉４０は着脱し易い構成とされており、これを取り外した状態で、一対のレール部３０を清掃し易く、また、容易に開口部２１を全開として収容物を出し入れし易くなっている。
【００３１】
第１スライド扉４１は、図５に示すように、前後方向（上下方向）において、本体部４０Ｃの寸法が開口部２１の内径と略同等とされ、第１上端部４１Ａが上側レール部３１Ａの内側内側面３４Ａに近接又は当接するとともに、第１下端部４１Ｂが下側レール部３１Ｂの内側内側面３３Ｂに近接又は当接する態様で、一対のレール部３０に装着されている。また、第１スライド扉４１は、第１上端部４１Ａの延出寸法が上側レール部３１Ａの内側内側面３４Ａの高さ以上に設定され、第１上端部４１Ａ（その延出端面）が上側傾斜面３２Ａに支持される態様となっている。さらに、第１スライド扉４１は、第１下端部４１Ｂの延出寸法が下側レール部３１Ｂの内側内側面３３Ｂの高さ以上に設定され、第１下端部４１Ｂ（その延出端面）が下側傾斜面３２Ｂに支持される態様となっている。このような態様により、一対のレール部３０に装着された状態では、第１スライド扉４１には、自重により前方かつ下方に向かって運動するような力が作用して、第１上端部４１Ａが上側レール部３１Ａの内側内側面３４Ａに沿って摺動し易くなっている。
【００３２】
第２スライド扉４２は、図５に示すように、前後方向（上下方向）において、本体部４０Ｃの寸法が第１スライド扉４１の外形寸法以上とされ、第２上端部４２Ａが上側レール部３１Ａの外側内側面３３Ａに近接又は当接するとともに、第２下端部４２Ｂが下側レール部３１Ｂの外側内側面３４Ｂに近接又は当接する態様で、一対のレール部３０に装着されている。また、第２スライド扉４２は、第２上端部４２Ａの延出寸法が第１上端部４１Ａの延出寸法以上に設定され、第２上端部４２Ａ（その延出端面）が上側傾斜面３２Ａに支持される態様となっている。さらに、第２スライド扉４２は、第２下端部４２Ｂの延出寸法が第１下端部４１Ｂの延出寸法以上に設定され、第２下端部４２Ｂ（その延出端面）が下側傾斜面３２Ｂに支持される態様となっている。このような態様により、一対のレール部３０に装着された状態では、第２スライド扉４２には、自重により前方かつ下方に向かって運動するような力が作用して、第２下端部４２Ｂが下側レール部３１Ｂの外側内側面３４Ｂに沿って摺動し易くなっている。
【００３３】
続いて、第１スライド扉４１と第２スライド扉４２の配置構成及び作用について説明する。
複数のスライド扉４０は、第１スライド扉４１が一対のレール部３０における内側内側面３４Ａ，３３Ｂによって開口部２１の径方向について位置決めされるとともに、第２スライド扉４２が一対のレール部３０における外側内側面３３Ａ，３４Ｂによって開口部２１の径方向について位置決めされることで、第１スライド扉４１と第２スライド扉４２とが、互いの間に間隙４５を有して重なる構成とされている。詳細には、第１スライド扉４１は、第１上端部４１Ａが上側レール部３１Ａの内側内側面３４Ａに当接することで、それ以上前側に変位することが規制されるとともに、第１下端部４１Ｂが下側レール部３１Ｂの内側内側面３３Ｂに当接することで、それ以上後側に変位することが規制される。また、第２スライド扉４２は、第２下端部４２Ｂが下側レール部３１Ｂの外側内側面３４Ｂに当接することで、それ以上前側に変位することが規制されるとともに、第２上端部４２Ａが上側レール部３１Ａの外側内側面３３Ａに当接することで、それ以上後側に変位することが規制される。そして、上側レール部３１Ａの底面３２Ａ上において、第１上端部４１Ａの変位が許容される領域と第２上端部４２Ａの変位が許容される領域とは、互いに重ならないように設定され、また、下側レール部３１Ｂの底面３２Ｂ上において、第１下端部４１Ｂの変位が許容される領域と第２下端部４２Ｂの変位が許容される領域とは、互いに重ならないように設定されている。この結果、第１上端部４１Ａと第２上端部４２Ａとの間に間隙４５Ａが確保されるとともに、第１下端部４１Ｂと第２下端部４２Ｂとの間に間隙４５Ｂが確保される構成となっている。
【００３４】
また、第１スライド扉４１は、上側レール部３１Ａと下側レール部３１Ｂとの高低差並びに上側傾斜面３２Ａ及び下側傾斜面３２Ｂの傾斜形状に伴って、第１上端部４１Ａが上側レール部３１Ａの内側内側面３４Ａに沿って摺動し易い構成とされている。言い換えれば、第１スライド扉４１は、上側レール部３１Ａに吊り下げられるような形で、内側内側面３４Ａに沿ってそのスライド方向が案内されるような態様となっている。
【００３５】
第２スライド扉４２は、上側レール部３１Ａと下側レール部３１Ｂとの高低差並びに上側傾斜面３２Ａ及び下側傾斜面３２Ｂの傾斜形状に伴って、第２下端部４２Ｂが下側レール部３１Ｂの外側内側面３４Ｂに沿って摺動し易い構成とされている。言い換えれば、第２スライド扉４２は、外側内側面３４Ｂに下方から支持される形で、外側内側面３４Ｂに沿ってそのスライド方向が案内されるような態様となっている。
【００３６】
続いて、本実施形態の効果について説明する。
本実施形態によれば、第１スライド扉４１と第２スライド扉４２の間に互いの接触を規制するスライダ等の部品を設けない場合であっても、第１スライド扉４１と第２スライド扉４２が一対のレール部３０によってそれぞれ位置決めされることで、互いに接触しないようにしてそれぞれスライドさせることができる。この結果、部品点数を増加することなく、第１スライド扉４１と第２スライド扉４２をスムーズに開閉することができる。さらに、そのような部品を削減することで、上方に開口することに起因して、異物が溜まりやすい一対のレール部３０の内側を凹凸を有しない単純な形状とすることができ、一対のレール部３０の清掃がし易いショーケース１１を実現することができる。
【００３７】
具体的には、大小２つのスライド扉が互いに接触しないための構成として、レール部内に、各スライド扉の端部がそれぞれ嵌合する２つの溝部を有するスライダを配設することが考えられる。そのような構成によれば、スライダの溝部により各スライド扉がそれぞれ案内されることで、各スライド扉同士の接触を規制することができる。しかしながら、そのような構成では、レール部内にスライダを配設することに伴い製品コストが増大することが懸念される。また、そのような構成では、スライダの溝部内やスライダとレール部との間の隙間に溜まったゴミや水滴等の異物を取り除き難く、レール部内の清掃し易さという点において改善の余地があった。本願発明者は、一対のレール部３０とスライド扉４１，４２の形状及び寸法を適宜設定することで、スライダのような別部品を設定しない場合であっても、各スライド扉４１，４２同士の接触を規制する本願技術を新規に開発した。この結果、本実施形態では、スライダを備えた製品に比べて、部品点数削減に伴って製品コストの削減を実現することができ、また、スライダのような部品を廃止することで、一対のレール部３０内の構造が簡略化され、一対のレール部３０内の清掃がし易くなった。
【００３８】
また、本実施形態では、上側レール部３１Ａと下側レール部３１Ｂの高低差並びに一対のレール部３０の底面３２Ａ，３２Ｂの傾斜形状に伴って、各スライド扉４１，４２の自重により、開口部２１の径方向における一の方向（例えば、スライド扉を操作する者側、本実施形態では前側）に各スライド扉４１，４２を寄せることができ、各スライド扉４１，４２をスライドさせる際における各スライド扉４１，４２のガタつきを抑制することができる。
【００３９】
また、本実施形態の収納ケース付き冷却貯蔵庫１０は、ショーケース１１の下側開口縁部２１Ｂが手前側に位置するから、冷蔵庫１５の上面１５ａを作業スペースとして用いる際に、作業者が収納物を視認し易く、また、収納物をショーケース１１から取り出し易い。
【００４０】
＜その他の実施形態＞
本明細書によって開示される技術は、上記記述および図面によって説明した実施形態に限定されるものではなく、例えば次のような実施形態も技術的範囲に含まれる。
【００４１】
（１）上記実施形態では、収納ケースが冷却貯蔵庫の上部に配設されたものを例示したが、これに限られない。例えば、収納ケースは、その側方や下方に冷凍装置を装備して、収納室内を冷却する構成とされ、単独で用いられるものであってもよい。そのような構成としては、例えば飲食店等で使用される貯蔵庫として、断熱箱体に内部画成されて上方に開放する保冷室に、その上部開口からホテルパンと称する保冷容器を落とし込んで、該容器内に収容した食材等を冷却するもの等を例示することができる。
【００４２】
（２）上記実施形態以外にも、スライド扉の形状、数、材質等は、本発明の目的を損なわない限り、適宜変更可能である。
【００４３】
（３）上記実施形態では、一対の開口縁部が、鉛直方向について上下に位置する構成のものを例示したが、ケース本体の形状はこれに限られない。例えば、一対の開口縁部は、鉛直方向について互いの高さが同等とされていてもよい。
【００４４】
（４）上記実施形態以外にも、一対のレール部は底面と内側内側面と外側内側面とを有していればよく、その構成は、本発明の目的を損なわない限り、適宜変更可能である。
【００４５】
（５）上記実施形態以外にも、例えば、冷蔵機能を備えていないショーケース等においても、本発明を適用可能である。
【符号の説明】
【００４６】
１０…ショーケース付き冷蔵庫（ショーケース付き冷却貯蔵庫）、１１…ショーケース（収納ケース）、１５…冷蔵庫（冷却貯蔵庫）、１５ａ…上面、２０…ケース本体、２１…開口部、２１Ａ…上側開口縁部、２１Ｂ…下側開口縁部、３０…一対のレール部、３１Ａ…上側レール部、３１Ｂ…下側レール部、３２Ａ…上側傾斜面、３２Ｂ…下側傾斜面、３３Ａ…外側内側面、３３Ｂ…内側内側面、３４Ａ…内側内側面、３４Ｂ…外側内側面、４０…スライド扉、４０Ａ…端部、４０Ｂ…端部、４１…第１スライド扉、４２…第２スライド扉、４５…間隙
【図１】
2017133770.tif 000003
【図２】
2017133770.tif 000004
【図３】
2017133770.tif 000005
【図４】
2017133770.tif 000006
【図５】
2017133770.tif 000007